(57)【要約】【課題】  より少ないステップ数（チャート数）でもより良い精度を出す新たな多次色キャリブレーション用チャートと該チャートを使った画像処理方法及び画像処理装置を提供する。【解決手段】  プリンタデバイスの多次色キャリブレーションのために出力されて測色される多次色キャリブレーション用チャートで、多次色カラーチャートの各チャートが、該多次色カラーチャートの色空間上で、プリンタデバイスの色空間のグリッド格子に対し、斜めに配置されている、あるいは、グリッド格子点上に配置ありの面とグリッド格子点上に配置なしの面の交互の組み合わせの状態で配置されている。【選択図】    図４Ｂ
2010056794.tif 000002
【特許請求の範囲】
【請求項１】
プリンタデバイスの多次色キャリブレーションのために出力されて測色される多次色キャリブレーション用チャートであって、
多次色カラーチャートの各チャートが、該多次色カラーチャートの色空間上で、プリンタデバイスの色空間のグリッド格子に対し斜めに配置されていることを特徴とする多次色キャリブレーション用チャート。
【請求項２】
前記多次色カラーチャートの色空間はＣＭＹの３次元色空間であって、少なくともＣＭ面においてプリンタデバイスの色空間のグリッド格子に対し斜めに配置されていることを特徴とする請求項１に記載の多次色キャリブレーション用チャート。
【請求項３】
プリンタデバイスの多次色キャリブレーションのために出力されて測色される多次色キャリブレーション用チャートであって、
多次色カラーチャートの各チャートが、該多次色カラーチャートの色空間上で、プリンタデバイスの色空間のグリッド格子に対し、グリッド格子点上に配置ありの面とグリッド格子点上に配置なしの面の交互の組み合わせの状態で配置されていることを特徴とする多次色キャリブレーション用チャート。
【請求項４】
前記多次色カラーチャートの色空間はＣＭＹの３次元色空間であって、Ｙ方向においてはグリッド格子点に配置されていることを特徴とする請求項３に記載の多次色キャリブレーション用チャート。
【請求項５】
請求項１乃至４のいずれか１項に記載の多次色キャリブレーション用チャートを記憶したコンピュータで読み取り可能な記憶媒体。
【請求項６】
多次色キャリブレーション用チャートを出力する手段と、出力された前記されて多次色キャリブレーション用チャートを測色する手段とを有し、測色結果に基づいて多次色キャリブレーションを行う画像処理装置であって、
前記多次色キャリブレーション用チャートにおいて、多次色カラーチャートの各チャートが、該多次色カラーチャートの色空間上で、プリンタデバイスの色空間のグリッド格子に対し、斜めに配置されている、又は、グリッド格子点上に配置ありの面とグリッド格子点上に配置なしの面の交互の組み合わせの状態で配置されていることを特徴とする画像処理装置。
【請求項７】
多次色キャリブレーション用チャートを出力する工程と、出力された前記されて多次色キャリブレーション用チャートを測色する工程とを有し、測色結果に基づいて多次色キャリブレーションを行う画像処理方法であって、
前記多次色キャリブレーション用チャートにおいて、多次色カラーチャートの各チャートが、該多次色カラーチャートの色空間上で、プリンタデバイスの色空間のグリッド格子に対し、斜めに配置されている、又は、グリッド格子点上に配置ありの面とグリッド格子点上に配置なしの面の交互の組み合わせの状態で配置されていることを特徴とする画像処理方法。
【請求項８】
請求項７に記載の画像処理方法の各工程及び多次色キャリブレーション用チャートを記憶したコンピュータで読み取り可能な記憶媒体。
【発明の詳細な説明】
【技術分野】
【０００１】
本発明は多次色キャリブレーション用チャートと該チャートを使った画像処理方法及び画像処理装置に関する。特に、カラープリンタにおけるプリンタキャリブレーションを行うキャリブレーション用チャートに関するものである。
【背景技術】
【０００２】
従来、電子写真プリンタなどの、シアン、マゼンタ、イエロー、ブラックの色材（ＣＭＹＫ色）を用いるカラープリンタのキャリブレーションは、多次色のチャートを用いてキャリブレーションを行う。ＣＭＹＫ色再現域のキャリブレーションを行うために使用される多次色のチャートは、ＣＭＹあるいはＣＭＹＫのそれぞれのデバイス値（出力値）を適切に変更した多次色の組み合わせによる。ＣＭＹ各色で６ステップ（段階、階調）のデバイス値を使用した場合は多次色の組み合わせは６×６×６＝２１６チャートであり、５種類ならば１２５、４種類ならば６４である。すなわち、ＣＭＹ色域ではｎステップのデバイス値を選択した場合にはｎの３乗のチャート数、ＣＭＹＫ色域ではｎステップのデバイス値を選択した場合にはｎの４乗のチャート数が必要である。
【０００３】
より少ないステップ数（チャート数）でもより良い精度を出す方法として、特許文献１には、階調特性が非線形領域でのステップをより多くとることにより、不均等なステップの設定で測定された結果により、推定精度を向上させることが提案されている。
【特許文献１】特開平07-264411号公報
【発明の開示】
【発明が解決しようとする課題】
【０００４】
しかしながら、少ないステップのデバイス値を選択した場合には、カラーチャートのステップ間が広くなるため、ステップ間に現れる一次色変動に起因するプリンタ変動を補正できない問題がある。かかる問題点については、実施形態の説明の中で本願発明と対比して、更に詳細に説明する。
【０００５】
本発明は、上記問題点に鑑み、より少ないステップ数（チャート数）でもより良い精度を出す新たな多次色キャリブレーション用チャートと該チャートを使った画像処理方法及び画像処理装置を提供する。
【課題を解決するための手段】
【０００６】
かかる課題を解決するために、本発明の多次色キャリブレーション用チャートは、プリンタデバイスの多次色キャリブレーションのために出力されて測色される多次色キャリブレーション用チャートであって、多次色カラーチャートの各チャートが、該多次色カラーチャートの色空間上で、プリンタデバイスの色空間のグリッド格子に対し斜めに配置されていることを特徴とする。
【０００７】
また、本発明の画像処理装置は、多次色キャリブレーション用チャートを出力する手段と、出力された前記されて多次色キャリブレーション用チャートを測色する手段とを有し、測色結果に基づいて多次色キャリブレーションを行う画像処理装置であって、前記多次色キャリブレーション用チャートにおいて、多次色カラーチャートの各チャートが、該多次色カラーチャートの色空間上で、プリンタデバイスの色空間のグリッド格子に対し、斜めに配置されている、又は、グリッド格子点上に配置ありの面とグリッド格子点上に配置なしの面の交互の組み合わせの状態で配置されていることを特徴とする。
【０００８】
また、本発明の画像処理方法は、多次色キャリブレーション用チャートを出力する工程と、出力された前記されて多次色キャリブレーション用チャートを測色する工程とを有し、測色結果に基づいて多次色キャリブレーションを行う画像処理方法であって、前記多次色キャリブレーション用チャートにおいて、多次色カラーチャートの各チャートが、該多次色カラーチャートの色空間上で、プリンタデバイスの色空間のグリッド格子に対し、斜めに配置されている、又は、グリッド格子点上に配置ありの面とグリッド格子点上に配置なしの面の交互の組み合わせの状態で配置されていることを特徴とする。
【０００９】
更に、上記多次色キャリブレーション用チャート、または上記画像処理方法の各工程及び多次色キャリブレーション用チャートを記憶したコンピュータで読み取り可能な記憶媒体を提供する。
【発明の効果】
【００１０】
本発明により、少ないチャート数でより補正効果の高い多次色キャリブレーション用チャートと該チャートを使った画像処理方法及び画像処理装置を提供できる。
【発明を実施するための最良の形態】
【００１１】
以下、本発明の実施形態を添付図面を参照して、詳細に説明する。
【００１２】
＜本実施形態の画像処理装置の多次色キャリブレーションを実現する構成例＞
図１は、本実施形態の画像処理装置の多次色キャリブレーションを実現する構成例を示す図である。
【００１３】
本実施形態で例示される画像処理装置は、コンピュータ等より当該画像処理装置に送られる画像データを、色変換部１０１によりプリンタの出力色の色データであるＣＭＹＫ値へ変換を行う。次に、多次色補正部１０２では、色変換部１０１より送られたＣＭＹＫ値を、当該プリンタがプリンタモデルと同等の再現色が得られるように補正を行ったＣＭＹＫ値に変換を行う。プリンタモデルとは、本実施形態で例示されるプリンタが、設計値あるいは変動のない常に理想の状態として機能するプリンタの出力モデルをいう。出力処理部１０３では、多次色補正部１０２より送られたＣＭＹＫ値で画像のハーフトーニング処理を行い、用紙上に出力処理を行うことによってプリント物を得る。以下、本実施形態の画像処理装置をプリンタデバイスとも呼ぶ。
【００１４】
なお、本実施形態の色変換部１０１、多次色補正部１０２は、プリンタに出力処理部１０３と一体に搭載され、プリンタのコントローラ（不図示）で実施されてよい。また、プリンタを制御する制御部（不図示）を別途設け、かかる制御部において実施されてもよい。以下の説明では、プリンタのコントローラで実施されるものとして説明をする。
【００１５】
＜多次色補正部１０２の機能の概要＞
図２は、図１の多次色補正部１０２の具体的な機能を説明する図である。なお、本実施形態では説明を簡単に行うため、以下、次ぎのように設定をする。すなわち、画像データは非デバイス色空間色であるCIELabとする。また、多次色補正部１０２に送られるデバイスの色値および多次色補正部１０２から出力処理部１０３に送られるデバイスの色値はそれぞれ、Ｋ量を載せないＣＭＹ値であるとする。しかしながら、画像データはＲＧＢなどの他の画像データであってもよいし、多次色補正部１０２がＫ値を含んだ補正をおこなってもよい。
【００１６】
（理想のプリンタモデル）
図２の上段は、本実施形態で例示されるプリンタが、プリンタモデルとして機能している場合の図である。ここで、プリンタモデルは、プリンタの出力再現色を定義した出力プロファイルテーブルとして表わされる。
【００１７】
この場合には、画像データとして色変換部１０１へ送られるプリンタの色再現範囲の全てのLab値２１０は、夫々対応したプリンタの色値であるＣＭＹ値２１２へ変換される。プリンタの色値ＣＭＹが送られた出力処理部２０３（理想状態＝プリンタモデル）では、画像データに対応する画像を用紙上に出力処理を行う。出力画像を測色機を用いて測色２０１した非デバイス依存色空間値で表される色Lab２１１は、画像データとして色変換部１０１へ入力されたLab値２１０と一致する。
【００１８】
（変動モデル）
図２の中段は、当該プリンタが色再現の変動を起こしている状態を示す図である。
【００１９】
環境要因や経時変化などによりプリンタの出力状態が変動し、多次色の色再現が変化する状態が起こると、出力処理部２０３からの出力Lab２１１はＬ'ａ'ｂ'９０３に変化する。図に示されるように、環境要因や経時変化などにより引き起こされる変動は、図１に対応する出力処理部１０３内部、つまり出力処理部（理想状態）２０３の前段において発生する「変動モデル２０２」と仮定できる。この変動モデル２０２で、実際に送られてきたＣＭＹ値２１２がＣ'Ｍ'Ｙ'値９０１へ変更される。かかる変動モデル２０２を仮定することにより、プリンタの出力変動や色再現の変動が起こることが説明できる。
【００２０】
（多次色補正部１０２の機能）
そこで、図２の下段に示されるように、色変換部１０１の後段に多次色補正部１０２を配置する。
【００２１】
多次色補正部１０２では、変動モデル２０２から出力処理部（理想状態）２０３へ送られるデバイスの色値が変動モデル２０２での変換の結果、中段で示したＣ'Ｍ'Ｙ'値９０１からＣＭＹ値２１２へ戻るような多次色補正が行われる。すなわち、Ｃ"Ｍ"Ｙ"値を変動モデル２０２へ送るように、多次色補正部１０２においてＣＭＹ値２１２からＣ"Ｍ"Ｙ"値９０２へ変換を行う。つまり、多次色補正部１０２は出力処理部１０３内部に仮定した変動モデル２０２に対して、「前置完全逆変換テーブル」として機能する。
【００２２】
本実施形態の構成では、図２の下段に示されるように、出力処理部１０３の内部に起こる変動（＝変動モデル２０２）を出力物の測色２０１に基づいて計測する。そして、当該の変換の前置逆変換としての多次色補正部１０２での多次色補正を常に生成および更新すれば、プリンタは常に理想状態のプリンタモデルで、多次色を安定して出力が可能である。
【００２３】
なお、本実施形態では、多次色の補正について説明をするが、同様に一次色の補正も可能であるので、一次色から多次色までの安定した出力が可能である。
【００２４】
＜本実施形態の変動モデルの作成例＞
まず、図２に示した変動モデル２０２の作成例について説明する。
【００２５】
図３は、図２に示した変動モデル２０２および出力処理部（理想状態）２０３を含んだ出力処理部１０３の変換状態を示す図である。
【００２６】
変動モデル２０２がない理想状態の場合、入力されたＣＭＹ値２１２はそのまま出力処理部（理想状態）２０３を経て、測色結果がLab２１１となる。一方、環境要因や経時変化などがある通常のプリンタでは、変動モデル２０２を経て入力ＣＭＹ値２１２はＣ'Ｍ'Ｙ'値９０１に変換され、Lab２１１からＬ'ａ'ｂ'９０３へ変動する。
【００２７】
そこで、全てのプリンタの出力色の組み合わせ、例えば一次色がｎステップを持つプリンタの場合は、ＣＭＹ色による再現色域ならばｎ×ｎ×ｎ色のプリンタ状態測定用のカラーチャートを実際に出力する。そして、ｎ×ｎ×ｎ色のカラーチャートを測色すれば変動モデル２０２を含んだ出力処理部１０３の変換状態を作成することができる。ここで、ｎステップが256ステップならば、ＣＭＹ色域で1678万色、ＣＭＹＫ色域ならばｎ×ｎ×ｎ×ｎの組み合わせで43億色となる。従って、実際には、変動モデル２０２を含んだ出力処理部１０３の変換状態の作成には、全色組み合わせの一部のカラーチャートを選択して出力および測色を行い、補間などを用いて全体の推定を行う。そのため、プリンタのＣＭＹ色域ないしＣＭＹＫ色域で、効果的にあらゆる多次色の変動を検出可能な少数のカラーチャートを設計する必要がある。
【００２８】
＜従来の多次色キャリブレーション用チャートの例＞
ここで、本実施形態による多次色キャリブレーション用チャートの特徴を明瞭とするため、まず、従来の多次色キャリブレーション用チャートの例とその問題点について詳細に説明する。
【００２９】
（デバイス色出力値の均等ステップの例）
図１１は、従来のプリンタ再現色域内あるデバイス色出力値と階調濃度値の関係を示した図である。
【００３０】
図１１のように、キャリブレーションに用いるカラーチャートのステップは、通常、デバイス色出力値の均等ステップでの測色を行い、補間によって実際の状態全体の推定を行う。多次色の場合、ＣＭＹ色域で６ステップ均等ならば、６×６×６＝２１６色を要し、ＣＭＹＫ色域ならば６×６×６×６＝１２９６色を要する。しかしながら、図１１における出力値に対する濃度値が非線形となる区間では、十分な精度で推定ができない。
【００３１】
（デバイス色出力値の不均等ステップの例）
図１２に、前述の特許文献１による階調特性が非線形領域でのステップをより多くとる例を示す。
【００３２】
図１２の下図のように、階調特性が非線形領域でのステップをより多くとることにより、不均等なステップで測定された結果により推定精度を向上させることができる。
【００３３】
（少ないチャート数で発生する問題点）
より少ないチャートで多次色領域全体を補正する場合、例えばＣＭＹ一次色が５ステップずつの場合の多次色（一次色）の５×５×５＝１２５色を考える。この場合のＣＭＹ色空間でのカラーチャート上での配置の１２５点を、図１３Ａ及び図１３Ｂに示す。図１３Ａが立体的に示した配置図であり、図１３ＢはＹ（イエロ）軸方向から見たＣＭ（シアン−マゼンタ）面の配置図となる。
【００３４】
例えば５ステップしかない場合、図１４に示すように一次色と濃度値との関係を図示すると、ステップ間隔が広がっている。従って、上記のような従来技術の手法では、非線形領域へステップを十分に配置することができないし、且つ線形的な領域も十分でない。
【００３５】
このような状況で、例えば図１５のようにシアンの一次色変動が、ステップ間でプリンタモデルの理想状態に沿わずに５０〜７５％出力値の付近で大きく乖離した場合を考える。この場合、ＣＭＹで再現される色空間では、一次色のシアンに変動があると、その重ねあわせで再現される再現色についても、同時に図１６に図示された破線で囲まれた領域に多次色の再現色変動が発生する。
【００３６】
しかしながら、各色５ステップから構成される１２５色チャートでは、変動が起こる再現色の領域がカラーチャート間に存在するため、カラーチャートの再現色に変動が起こらない。ぞのため、プリンタの色変動が捕捉することが出来ず補正を行うことができない。このように、各デバイス色のそれぞれが少ないステップ数で構成された多次色のチャートは、一次色の変動に起因する多次色変動を十分に捕捉できないという問題がある。
【００３７】
＜本実施形態の多次色キャリブレーション用チャートの構成例１＞
以上のような問題点を解決するため、本発明で提案される少ないステップのカラーチャートの構成方法の実施形態例を、図４Ａ，図４Ｂに示す。なお、ＣＭＹの３次元色空間上での各色のチャートの配置場所をグリッド格子点と呼ぶ。
【００３８】
図４Ａに示されるように、ＣＭＹの３次元色空間上で、図１６の下図に示されるＣＭ面の５ステップｘ５ステップ＝２５個の場合と同数の２５個チャートを維持しながら、チャートの階調に対する配置が、従来の均等ステップに対し斜めとなる配置を行う。立体的な階調配置図を図４Ｂに示す。ＣＭ面の矩形グリッドをＹ軸中心に４５度回転を行い、ＣＭ面で適切な数（本例では２５個）となるように縮小した構成である。
【００３９】
（本実施形態と従来との対比）
図５Ａ及び図５Ｂで、従来技術とのチャート配置との差異を示す。従来の各一次色が均等５ステップのマゼンダ軸側からみたＣＹ面のチャート配置図の図５Ａと、本実施形態のマゼンダ軸側からみたＣＹ面のチャート配置図の図５Ｂの比較を行う。
【００４０】
図５Ａのシアン軸方向で５ステップにより４分割されているチャート間隔に比べ、本実施形態の図５Ｂでは同じチャート数でありながら、７ステップにより６分割され、間隔が２／３（＝４／６）に狭まっていることがわかる。ここで、図４Ａ及び図４Ｂで示されているマゼンタ出力値０％で構成されるＣＹ面１００１が、図５Ｂのチャート配置１１０１で、マゼンダ出力値１６．７％で構成されるＣＹ面１００２が図５Ｂのチャート配置１１０２である。
【００４１】
（本実施形態の効果）
本実施形態の図５Ｂのチャート配置図による効果の一例を、図６に図示する。
【００４２】
図４あ及び図４Ｂに示すＣＹ面１００１とＣＹ面１００２でそれぞれシアン出力値の一次色変動を観測し、その結果による補間が可能である。
【００４３】
このように、本実施形態で示される斜めチャート配置を用いれば、従来と同数またはより少ないチャートでの配置でも、従来の手法より効果的に一次色の変動に起因する多次色領域での変動を補正することが可能となる。
【００４４】
なお、本実施形態では簡易な説明とするために４５度回転の斜め配置について述べたが、デバイス軸まわりの回転角θは、
ｔａｎθ＝ｎ／ｍ（ｎ／ｍは自然数）
となる回転角でも、一次色デバイス軸上にチャート配置を一定数維持したまま、一次色の変動に起因する変動を多次色領域で捉えることが可能である。
【００４５】
また、本実施形態ではＹ軸のステップを維持したまま、ＣＹ面のチャート配置の構成方法を解説した。ＣＭＹＫ４次色の補正を行うためには、この手法を拡張し、さらにＹとＫ軸に斜めとなる配置を実現することが可能である。
【００４６】
＜本実施形態の多次色キャリブレーション用チャートの構成例２＞
上記構成例１では、従来の格子状となるチャート配置の構成を、従来の均等ステップによる配置からＹ軸を中心として回転させ、グリッド配置がデバイス一次色に対し斜めに配置された構成方法について述べた。本構成例２では、構成例１と同じ効果を持つチャート配置を得る他の構成方法について述べる。
【００４７】
構成例１の図４Ａに示されたＣＭ面のチャート配置は、図７のチャート配置と同じ配置である。図７において、各デバイス一次色の軸に直交するグリッド配置でみて、各デバイス一次色のステップ数７で、それぞれのステップが０〜６番目だとする。その場合、偶数ステップでは各デバイス一次色がそれぞれ偶数番目の場合のみ配置され、奇数ステップでは各デバイス一次色がそれぞれ奇数番目の場合のみ配置されており、グリッド毎に交互に配置あり／配置なしを繰り返す構成となる。
【００４８】
ここで、この交互配置を用いてより少数の多次色カラーチャートを構成する方法を示す。ＣＭＹ各デバイス色の５ステップ均等の場合は、５ｘ５ｘ５＝１２５個のチャートとなることは既に述べた。１２５に比べより少ないチャートを設計したい場合、４ステップ均等ならば４ｘ４ｘ４＝６４個となり極端に減少してしまう。図８に、ＣＭＹ各デバイス色の均等ステップ数と多次色チャート数との関係を示す。
【００４９】
本構成例２の方法では、図９Ａ及び図９Ｂに示すように、ＣＭ面でグリッド格子点上に配置された１８個のチャート配置である図９Ａと図９Ｂの２種類がＹ方向に交互に６層重なる形とする。すなわち、Ｙ方向にも交互に配置する。かかる６ステップでのＣＭＹ交互配置の場合、１０８個とチャート数が減少し、且つ図４Ａと同様の作用効果が得られる。すなわち、グリッド格子点上に交互に配置されたチャートは、一次色変動に起因する多次色変動をより捉えやすいことはすでに、構成例１で述べた通りである。
【００５０】
さらに、イエローの一次色に起因する多次色変動について人間の視覚特性を考慮すれば、シアン、マゼンダの一次色変動に起因する多次色変動よりも色差レベルで小さいことが知られている。そこで、ＣＭ面を交互配置、Ｙ軸方向には、人間の視覚特性によりＣＭに較べＹ一次色変動による色差が表れにくいことから、交互配置でなく従来の均等ステップを組み合わせることも考えられる。
【００５１】
図１０に本実施形態で述べられた、ＣＭ面交互配置とＹ軸交互配置または均等配置による組み合わせの例とＣＭＹ空間で必要な多次色総チャート数の一例をまとめて示す。このように、本実施形態のチャート配置を用いると、ＣＭＹ色空間において自由度が高くチャートの総個数を出来るだけ少なく設計でき、かつデバイス色の一次変動に起因する多次色変動を捉えやすい設計が可能となる。
【００５２】
［他の実施形態］
本実施形態では、説明を簡略にするために非デバイス空間色を３次元ＣＩＥＬａｂとした。しかし、例えばLabPQR等４次元以上の仮想色空間色またはスペクトル色空間色を用いる場合にも、本実施例に例示した手法の次元拡張により同様の効果を達成することができる。
【００５３】
また、本発明は、複数の機器（例えばホストコンピュータ、インターフェース機器、プリンタなど）から構成されるシステムあるいは統合装置に適用しても、ひとつの機器からなる装置に適用してもよい。
【００５４】
又、本発明の目的は、前述した実施形態の機能を実現するソフトウェアのプログラムコードを記録した記憶媒体（または記録媒体）を、システムあるいは装置に供給する。そして、そのシステムあるいは装置のコンピュータ（またはｕ  ＣＰＵやＭＰＵ）が記憶媒体に格納されたプログラムコードを読み出し実行することによっても、達成されることは言うまでもない。
【００５５】
この場合、記憶媒体から読み出されたプログラムコード自体が前述した実施形態の機能を実現することになり、そのプログラムコードを記憶した記憶媒体は本発明を構成することになる。
【００５６】
又、コンピュータが読み出したプログラムコードを実行することにより、前述した実施形態の機能が実現されるだけではない。そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５７】
さらに、記憶媒体から読み出されたプログラムコードが、コンピュータに挿入された機能拡張カードやコンピュータに接続された機能拡張ユニットに備わるメモリに書込まれる。その後、そのプログラムコードの指示に基づき、その機能拡張カードや機能拡張ユニットに備わるＣＰＵなどが実際の処理の一部または全部を行う。このような処理によって前述した実施形態の機能が実現される場合も含まれることは言うまでもない。
【００５８】
本発明を上記記憶媒体に適用する場合、その記憶媒体には、先に説明したフローチャートに対応するプログラムコードが格納されることになる。
【図面の簡単な説明】
【００５９】
【図１】本実施形態の画像処理装置の多次色キャリブレーションを実現する構成例を示す図である。
【図２】本実施形態の多次色キャリブレーションにおける多次色補正部の機能を説明する図である。
【図３】変動モデルおよび出力処理部（理想状態）を含んだ出力処理部の動作例を示す図である。
【図４Ａ】本実施形態の構成例１におけるカラーチャート配置を示す図（ＣＭ面）である。
【図４Ｂ】本実施形態の構成例１におけるカラーチャート配置を示す図（立体図）である。
【図５Ａ】本実施形態の構成例１と対比する従来技術の均等ステップによるチャート配置を示す図（ＣＹ面）である。
【図５Ｂ】本実施形態の構成例１におけるカラーチャート配置を示す図（ＣＹ面）である。
【図６】シアンのデバイス色出力値と濃度値の理想状態およびシアン出力値５０〜７５％付近で理想状態から乖離した変動が起きている実際状態の関係と、本実施形態の構成例１におけるキャリブレーション用チャート配置の関係とを示す図である。
【図７】本実施形態の構成例１における図４Ａのチャート配置とデバイス色軸に直交するグリッドとの関係を示す図である。
【図８】ＣＭＹの各デバイス色の均等ステップ数と多次色チャート数との関係を示す図である。
【図９Ａ】本実施形態の構成例２における６ステップの交互配置におけるＹ方向の０，２，４番目のカラーチャート配置を示す図である。
【図９Ｂ】本実施形態の構成例２における６ステップの交互配置におけるＹ方向の１，３，５番目のカラーチャート配置を示す図である。
【図１０】本実施形態の構成例２におけるＣＭ面交互配置とＹ軸交互配置または均等配置による組み合わせ例と、その場合のＣＭＹ空間で必要な多次色総チャート数の関係を示す図である。
【図１１】プリンタデバイス色の出力値と濃度値との関係を示した図である。
【図１２】従来の政経領域のチャート数を減らし非線形領域でチャート数を増やした例を示す図である。
【図１３Ａ】プリンタのＣＭＹデバイス色空間における１２５点のパッチ配置を示す図（立体図）である。
【図１３Ｂ】Ｙ方向からみたプリンタのＣＭＹデバイス色空間における１２５点のパッチ配置を示す図（ＣＭ平面図）である。
【図１４】プリンタデバイス色の出力値と濃度値との理想状態および実際状態の関係と、５ステップのキャリブレーション用チャートの配置の関係とを示す図である。
【図１５】シアンデバイス色の出力値と濃度値との理想状態およびシアン出力値５０〜７５％付近で理想状態から乖離した変動が起きている実際状態の関係と、５ステップのキャリブレーション用チャートの配置の関係とを示す図である。
【図１６】一次色変動に起因する多次色変動が起こる領域をＣＭＹのデバイス色空間で説明する図である。
【図１】
2010056794.tif 000003
【図２】
2010056794.tif 000004
【図３】
2010056794.tif 000005
【図４Ａ】
2010056794.tif 000006
【図４Ｂ】
2010056794.tif 000007
【図５Ａ】
2010056794.tif 000008
【図５Ｂ】
2010056794.tif 000009
【図６】
2010056794.tif 000010
【図７】
2010056794.tif 000011
【図８】
2010056794.tif 000012
【図９Ａ】
2010056794.tif 000013
【図９Ｂ】
2010056794.tif 000014
【図１０】
2010056794.tif 000015
【図１１】
2010056794.tif 000016
【図１２】
2010056794.tif 000017
【図１３Ａ】
2010056794.tif 000018
【図１３Ｂ】
2010056794.tif 000019
【図１４】
2010056794.tif 000020
【図１５】
2010056794.tif 000021
【図１６】
2010056794.tif 000022